(57)【特許請求の範囲】
【請求項１】
親綱を通す穴が設けられた長軸物であって、コンクリート二次製品の上部に予め設けられた吊り金具に引っ掛ける係止機構と、前記長軸物を支持する支持機構と、前記長軸物を前記支持機構に固定する締結部材とを備えることを特徴とするコンクリート二次製品用親綱張設治具。
【請求項２】
前記長軸物または前記係止機構の側面部には前記吊り金具の頭部が通過することが出来る金具通し穴が設けられ、且つ前記金具通し穴から前記係止機構の底部にかけて前記吊り金具の首下部が通過することが出来る切り欠きが設けられている請求項１に記載のコンクリート二次製品用親綱張設治具。
【請求項３】
前記長軸物の側面部には前記締結部材を通す貫通穴が軸方向に沿って複数設けられている請求項１又は２に記載のコンクリート二次製品用親綱張設治具。
【発明の詳細な説明】
【技術分野】
【０００１】
本発明は、コンクリート二次製品用親綱張設治具、特に人手による持ち運びが可能であり、作業員がコンクリート二次製品の上部に容易に親綱を張ることが出来るコンクリート二次製品用親綱張設治具に関するものである。
【背景技術】
【０００２】
コンクリート配管等の、いわゆるコンクリート二次製品の高さが２ｍ以上である場合、現場に設置された後、コンクリート二次製品の上部での作業は高所作業となるため、作業員がコンクリート二次製品の上部で作業を行う際には、作業員の転落を防止する転落防止対策が必要となる。
従来、転落防止対策として、図６に示すように、コンクリート二次製品の上部にパイプ設置用の穴を２箇所に設け、親綱通し穴が開けられたパイプをそれぞれの穴に立てて、各親綱通し穴に親綱用ロープを通し、そしてパイプ間に張られた親綱用ロープに作業員の安全帯のフックを掛けることにより、作業員の転落を防止していた。他には、図７に示すように、直方体形状の、いわゆるトンブロック等をクレーンによってコンクリート二次製品の上部、２箇所に設置し、各トンブロックに親綱用ロープを巻き付け、そしてトンブロック間に張られたロープに作業員の安全帯のフックを掛けることにより、作業員の転落を防止していた。
ところで、コンクリート二次製品が鉄筋によって補強されている場合、コンクリート表面から上方に突き出た鉄筋を利用して作業員の転落防止用の親綱を設置する親綱支持具が知られている（特許文献１又は２を参照。）。
この親綱支持具は、鉄筋が挿入される筒状部材と、親綱を支持するための綱掛け部と、筒状部材を鉄筋に固定する締結部材とから成っている。
【先行技術文献】
【特許文献】
【０００３】
【特許文献１】実開平６−７１７７３号公報
【特許文献２】特開平６−９８９４５号公報
【発明の開示】
【発明が解決しようとする課題】
【０００４】
コンクリート二次製品の上部にパイプ設置用の穴を２箇所に設けて親綱用ロープを設置する場合、作業終了後に、その穴をモルタルで塞ぐ必要がある。パイプの根入れ長さがパイプ全長の半分と深いことから、相当量のモルタルが必要となり、作業効率および作業コストの観点からあまり好ましくない。
他方、トンブロック等をコンクリート二次製品の上部に設置して親綱用ロープを設置する場合、トンブロックの設置および撤去にクレーン等の起重機が別途必要となる。従って、トンブロックの設置および撤去に時間を要することなり、結果、パイプ設置用の穴を２箇所に設ける場合と同様に、作業効率および作業コストの観点からあまり好ましくない。
また、コンクリート表面から上方に突き出た鉄筋を利用する上記親綱支持具は、コンクリート表面から十分の長さの鉄筋が上方に突き出ていないと使用することが出来ないという問題がある。
そこで、本発明は上記従来の作業員の転落防止対策治具の問題点に鑑み考案されたものであって、その目的は人手による持ち運びが可能であり、作業員がコンクリート二次製品の上部に容易に親綱を張ることが出来るコンクリート二次製品用親綱張設治具を提供することである。
【課題を解決するための手段】
【０００５】
前記目的を達成するため請求項１に記載のコンクリート二次製品用親綱張設治具は、親綱を通す穴が設けられた長軸物であって、コンクリート二次製品の上部に予め設けられた吊り金具に引っ掛ける係止機構と、前記長軸物を支持する支持機構と、前記長軸物を前記支持機構に固定する締結部材とを備えることを特徴とする。
本願発明者は、コンクリート二次製品の上部にクレーン吊り上げ用として吊り金具が予め設けられていることに着目して本発明を考案するに到った。すなわち、本発明では、長軸物が起立した姿勢にある時、係止機構が吊り金具に引っ掛かり、長軸物は吊り金具と分離出来ないように成っている。その結果、長軸物の姿勢は支持機構および締結部材によって固定・安定化されるようになる一方、支持機構は長軸物によってその移動が拘束されるようになる。このように、本発明では長軸物と支持機構の各機能が相互に補完し合うようになる。これにより、親綱を通す穴が設けられた長軸物を起立した姿勢でコンクリート二次製品の上部に安定して固定することが可能となる。その結果、長軸物をコンクリート二次製品の上部に２本立てることにより、コンクリート二次製品の上部に容易に親綱を張ることが出来るようになる。
また、上記コンクリート二次製品用親綱張設治具は、長軸物、係止機構、支持機構および締結部材から成る簡素な機構であるため、人手による持ち運びが可能となり、親綱張りに係る設置作業、撤去作業が極めて容易となる。その結果、親綱張りに係る作業効率が向上すると共に、作業コストが低下するようになる。
【０００６】
請求項２に記載のコンクリート二次製品用親綱張設治具では、前記長軸物または前記係止機構の側面部には前記吊り金具の頭部が通過することが出来る金具通し穴が設けられ、且つ前記金具通し穴から前記係止機構の底部にかけて前記吊り金具の首下部が通過することが出来る切り欠きが設けられていることとした。
上記コンクリート二次製品用親綱張設治具では、金具通し穴および切り欠きを上記態様で係止機構に配設することにより、長軸物が起立した姿勢にある時、係止機構が吊り金具に好適に引っ掛かり長軸物が吊り金具と分離出来なくなる。
【０００７】
請求項３に記載のコンクリート二次製品用親綱張設治具では、前記長軸物の側面部には前記締結部材を通す貫通穴が軸方向に沿って複数設けられていることとした。
上記コンクリート二次製品用親綱張設治具では、上記貫通穴を上記態様で長軸物の側面部に設けることにより、係止機構が吊り金具に好適に引っ掛かった状態にして長軸物の位置を支持機構および締結部材によって固定することが出来るようになる。
【発明の効果】
【０００８】
本発明のコンクリート二次製品用親綱張設治具によれば、長軸物を起立した姿勢でコンクリート二次製品の上部に安定して固定することが出来るようになる。その結果、長軸物をコンクリート二次製品の上部に２本立てることにより、コンクリート二次製品の上部に容易に親綱を張ることが出来るようになる。これにより、作業者が高さ２ｍ以上のコンクリート二次製品の上部で安全に作業をすることが出来るようになる。
更に、本発明のコンクリート二次製品用親綱張設治具は簡素な構成であるため、人手による持ち運びが容易に行えることに加えて、コンクリート二次製品の上部にパイプ設置用の穴を設ける作業ならびにその穴をモルタルで塞ぐ作業、またはトンブロックをコンクリート二次製品の上部に設置する作業ならびにそのトンブロックを撤去する作業が不要となり、その結果、コンクリート二次製品に係る作業の作業効率が好適に向上すると共に、作業コストが好適に低下するようになる。
【発明を実施するための形態】
【０００９】
以下、図に示す実施の形態により本発明をさらに詳細に説明する。なお、これにより本発明が限定されるものではない。
【００１０】
図１は、本発明のコンクリート二次製品用親綱張設治具１００を示す要部説明図である。なお、図１(a)は正面図であり、同(b)は下面図である。
このコンクリート二次製品用親綱張設治具１００は、上部に親綱を通す親綱通し穴１１が設けられたパイプ１０（長軸物）と、コンクリート二次製品の上部に予め設けられたクレーン吊り上げ用アンカーボルト（吊り金具）に引っ掛かるアンカーボルト引っ掛け部２０（係止機構）と、パイプ１０を四方面から支持して姿勢を安定させるスタンド３０と、パイプ１０をスタンド３０に固定するパイプ固定用ボルト・ナット４０（締結部材）とを具備して構成される。なお、ここではコンクリート二次製品の上部に設けられている吊り金具は頭部が皿形状のアンカーボルトとした。また、アンカーボルトはコンクリート二次製品表面の凹みの中に設けられ、コンクリート二次製品表面から突出していないものとした。
【００１１】
パイプ１０は、例えば中空円筒管である。その上部には親綱を通す親綱通し穴１１が設けられ、もう一方のパイプ１０の親綱通し穴１１との間に親綱が張られる。また、その側面部にはパイプ固定用ボルト４０を貫通させるための貫通穴１２が軸方向に沿って複数設けられている。
【００１２】
アンカーボルト引っ掛け部２０は、その側面にはアンカーボルトの頭部径より大きなボルト通し穴２１が設けられ、そのボルト通し穴２１から底面を横切って別の側面に達する長さの切り欠き２２が設けられている。なお、切り欠き２２の隙間の寸法はアンカーボルトの首下部径より大きく頭部径よりは小さい。従って、詳細については図２−３を参照しながら後述するが、アンカーボルト頭部をボルト通し穴２１を通して、アンカーボルト引っ掛け部２０の内部に導入してアンカーボルト首下部を切り欠き２２に沿って通すことにより、パイプ１０が起立した姿勢で切り欠き２２がアンカーボルト頭部に好適に引っ掛かり、パイプ１０はアンカーボルトと分離出来なくなる。
【００１３】
アンカーボルト引っ掛け部２０の幅はパイプ１０の幅（外径）より大きくなっている。これは、アンカーボルトがコンクリート二次製品表面の凹みの中に設けられているためである。もし幅がパイプ１０の外径と同じである場合、アンカーボルト頭部をボルト通し穴２１に通すことが出来なくなる場合が起こり得る。つまり、アンカーボルト引っ掛け部２０をアンカーボルトに引っ掛けることが出来なくなる場合が起こり得る。アンカーボルト引っ掛け部２０の幅がパイプ１０の外径よりどの程度大きいかは、その凹みの大きさ及びアンカーボルトの凹み内面からの突出量に応じて変わってくる。
【００１４】
アンカーボルト引っ掛け部２０の底部は、アンカーボルト首下部がスムーズに切り欠き２２を通過することが出来るように、切り欠き２２の方向に沿ってＲ面を成している（図３を参照。）。
【００１５】
スタンド３０は、４本の足から成りパイプ１０を四方面から支持しパイプ１０の姿勢を安定させる。また、スタンド３０は、パイプ１０が起立した姿勢で、アンカーボルト引っ掛け部２０がアンカーボルトに好適に引っ掛かる位置にパイプ１０を位置決めする。従って、上記アンカーボルト引っ掛け部２０の作用と相俟って、パイプ１０を起立した姿勢でコンクリート二次製品の上部に安定して固定することが出来るようになる。その結果、コンクリート二次製品の上部に２本のパイプ１０,１０を立てることにより、親綱を２本のパイプ１０,１０間に安定に張ることが可能となる。
【００１６】
図２は、本発明に係るアンカーボルト引っ掛け部２０とアンカーボルトとの引っ掛かりを示す説明図である。
パイプ１０が起立した姿勢においてアンカーボルト引っ掛け部２０の底部がアンカーボルト頭部に好適に引っ掛かる位置で、パイプ１０はスタンド３０及びパイプ固定用ボルト・ナット４０によって支持されている。つまり、アンカーボルト引っ掛け部２０の底部がコンクリート二次製品の凹みから離れた位置で、パイプ１０は支持されている。この状態では、パイプ１０が親綱から引っ張られたとしても、アンカーボルト頭部がボルト通し穴２１の狭小部分に位置しているため、アンカーボルト頭部が通し穴２１に引っ掛かり或いは切り欠き２２に引っ掛かり、パイプ１０がアンカーボトルから分離出来なくなる。その結果、スタンド３０はパイプ１０の倒れを防止する一方、パイプ１０はスタンド３０の移動を拘束する。このように、上記下線部の構成ではパイプ１０とスタンド３０の各機能が相互に補完し合うことになり、パイプ１０を起立した姿勢でコンクリート二次製品の上部に安定して固定することが出来るようになる。これにより、コンクリート二次製品の上部に親綱を安定して張ることが出来るようになる。
【００１７】
図３は、本発明に係るアンカーボルト引っ掛け部２０にアンカーボルトを導入する手順を示す説明図である。
先ず、図３(a)に示すように、パイプ１０を横に倒した状態で、アンカーボルト引っ掛け部２０のボルト通し穴２１にアンカーボルト頭部を通過させる。
次に、同(b)に示すように、パイプ１０を起こしながら切り欠き２２にアンカーボルトの首下部を通過させる。
次に、同(c)に示すように、アンカーボルト頭部をアンカーボルト引っ掛け部２０の内部に収め、パイプ１０を直立姿勢にする。
次に、同(d)に示すように、パイプ１０が起立した姿勢で、アンカーボルト引っ掛け部２０がアンカーボルト頭部に最も引っ掛かる位置でパイプ１０をスタンド３０及びパイプ固定用ボルト・ナット４０によって固定する。本実施例では、アンカーボルト頭部が切り欠き２２に接触した位置でパイプ１０を固定する。
【００１８】
以上、上記コンクリート二次製品用親綱張設治具１００によれば、コンクリート二次製品の上部に安定してパイプ１０を起立した姿勢で固定することが出来るようになる。その結果、パイプ１０をコンクリート二次製品の上部に２本立てることにより、コンクリート二次製品の上部に容易に親綱を張ることが出来るようになる。これにより、作業者が高さ２ｍ以上のコンクリート二次製品の上部で安全に作業をすることが出来るようになる。
更に、上記コンクリート二次製品用親綱張設治具１００は簡素な構成であるため、人手による持ち運びが容易に行えることに加えて、コンクリート二次製品の上部にパイプ設置用の穴を設ける作業ならびにその穴をモルタルで塞ぐ作業、またはトンブロックをコンクリート二次製品の上部に設置する作業ならびにそのトンブロックを撤去する作業が不要となり、コンクリート二次製品に係る作業の作業効率が好適に向上すると共に、作業コストが好適に低下するようになる。
【００１９】
なお、上記コンクリート二次製品用親綱張設治具１００では、吊り金具は頭部が皿形状のアンカーボルトとしたが、これだけに限らず、例えば頭部がリング形状のアンカーボルト（アイボルト）に対しても上記親綱張設治具１００は適用することが出来る。この場合のボルト通し穴は、図４に示すように例えば横長の矩形、又は横長の楕円形、或いはこれらの組み合わせ形状となる。
【００２０】
なお、上記コンクリート二次製品用親綱張設治具１００では、アンカーボルト引っ掛け部２０の底部がアンカーボルト頭部に好適に引っ掛かる位置で、パイプ１０はスタンド３０及びパイプ固定用ボルト・ナット４０によって支持されていることとしたが、これだけに限らず、例えば図５に示すようにアンカーボルト引っ掛け部２０の底部とアンカーボルト頭部との間に、親綱に負荷がかかったとしてもアンカーボルト引っ掛け部２０とアンカーボルトが分離しない限度において、多少の遊びがあっても良い。
【産業上の利用可能性】
【００２１】
本発明のコンクリート二次製品用親綱張設治具１００は、コンクリート二次製品の上部で作業を行う作業員の転落防止用治具に適用することが可能である。
【図面の簡単な説明】
【００２２】
【図１】本発明のコンクリート二次製品用親綱張設治具を示す要部説明図である。
【図２】本発明に係るアンカーボルト引っ掛け部とアンカーボルトとの引っ掛かりを示す説明図である。
【図３】本発明に係るアンカーボルト引っ掛け部２０内部にアンカーボルトを導入する手順を示す説明図である。
【図４】吊り金具の頭部がリング形状のアンカーボルトである場合のボルト通し穴を示す説明図である。
【図５】アンカーボルト頭部に対する遊びを示す説明図である。
【図６】従来のコンクリート二次製品用親綱張設治具を示す説明図である。
【図７】従来のコンクリート二次製品用親綱張設治具を示す説明図である。
【符号の説明】
【００２３】
１０      パイプ
１１      親綱通し穴
２０      アンカーボルト引っ掛け部
２１      ボルト通し穴
２２      切り欠き
３０      スタンド
４０      パイプ固定用ボルト・ナット
１００    コンクリート二次製品用親綱張設治具
【図１】
0005608517.tif 000002
【図２】
0005608517.tif 000003
【図３】
0005608517.tif 000004
【図４】
0005608517.tif 000005
【図５】
0005608517.tif 000006
【図６】
0005608517.tif 000007
【図７】
0005608517.tif 000008